(57)【特許請求の範囲】
【請求項１】
リモートデバイスと通信するように構成されたインターラクティブデバイスであって、
イベント進行情報を含むイベント関連情報を提供するように構成されたリモートデバイスから、前記イベント関連情報を受信する受信器と、
受信した進行情報に基づき前記イベントの進行を示す進行インジケータと、
前記イベントの進行の変更を示す変更コマンドをユーザから受け取るセンサと、
前記リモートデバイスに前記変更コマンドを送信する送信器と、を有し、
前記リモートデバイスは、受信した変更コマンドに応じて、前記イベントの進行を調節するように構成され、
前記受信したイベント関連情報に基づき、前記イベントの現状の画像を表示するディスプレイの周辺を少なくとも部分的に囲む発光リムストラクチャを有し、前記リムストラクチャの縦部分の発光により、長さがイベントの進行に比例するように前記進行インジケータを示す、
インターラクティブデバイス。
【請求項２】
前記センサは前記リムストラクチャに組み込まれた光センサまたはタッチセンサであり、前記リムストラクチャにタッチして、発光する縦部分の長さを、そしてそれによりイベントの進行を調節する、
請求項１に記載のインターラクティブデバイス。
【請求項３】
前記ディスプレイの一部の発光により前記進行インジケータを示し、前記センサはディスプレイに組み込まれた光センサまたはタッチセンサであり、発光した部分の調節とそれによる前記イベントの進行の調節とを示す、前記ディスプレイへの前記ユーザからのタッチコマンドを検出するように構成されている、
請求項１に記載のインターラクティブデバイス。
【請求項４】
前記リモートデバイスは、前記変更コマンドに応じて前記進行を調節する組み込まれた進行調節器を有する家電製品であり、前記イベントは料理であり、前記イベント進行情報は、
前記料理が完了するまでの時間、または
料理されているアイテムの温度、または
料理中の前記家電製品内の温度、または
これらの組み合わせを含む、
請求項２または３に記載のインターラクティブデバイス。
【請求項５】
前記リモートデバイスからの前記イベント関連情報は、さらに、前記イベントの画像データを含み、前記イベントの現状の表示は、前記受信したイベントの画像データの表示に基づく、
請求項１に記載のインターラクティブデバイス。
【請求項６】
前記イベントの現状の表示は、事前に記憶された前記イベントの画像または画像シーケンスの表示を含み、前記受信したイベント関連情報に応じて、事前に格納した画像または画像シーケンスを表示する、
請求項１に記載のインターラクティブデバイス。
【請求項７】
前記イベントはある人が到着するイベントであり、前記リモートデバイスはポジショニングシステムであり、前記受信するイベント関連情報はその人の現在位置を示すポジショニング情報を含み、前記イベントの進行はその人の到着までの残り時間である、
請求項１ないし３いずれか一項に記載のインターラクティブデバイス。
【請求項８】
前記イベント進行情報はその人の到着時刻を含み、前記リモートデバイスは組み込まれた進行調節器を有し、前記ユーザからの変更コマンドは更新された望ましい到着時刻を含み、前記組み込まれた進行調節器は前記受信した変更コマンドに応じて前記到着イベントを調節するようにその人に指示するように構成された、
請求項７に記載のインターラクティブデバイス。
【請求項９】
前記受信したイベント関連情報に基づく、前記イベントの現状の画像の表示は、
予定されている人の写真、または
その人の現在地を示す地理的データ、または
グラフィカルにその人の到着までの残り時間、または
これらの組み合わせの表示を含む、
請求項７に記載のインターラクティブデバイス。
【請求項１０】
リモートデバイスとインターラクティブに通信する方法であって、
イベント進行情報を含むイベント関連情報を提供するように構成されたリモートデバイスから、前記イベント関連情報を受信する段階と、
受信した進行情報に基づき、前記イベントの進行を示す段階であって、
前記受信したイベント関連情報に基づき、前記イベントの現状の画像を表示する段階と、前記画像を表示するディスプレイを少なくとも部分的に囲む発光リムストラクチャの縦部分を発光して、その部分の長さが前記イベントの進行に比例するようにする段階と、を有する示す段階と、
前記イベントの進行の変更を示す変更コマンドをユーザから受け取る段階と、
前記リモートデバイスに前記変更コマンドを送信する段階とを有し、前記リモートデバイスは、前記受信した変更コマンドに応じて、前記イベントの進行を調節するように構成されている、方法。
【請求項１１】
コンピュータで実行されると、前記コンピュータの処理ユニットに請求項１０に記載の方法を実行させる、コンピュータプログラム。
【請求項１２】
請求項１に記載のインターラクティブデバイスとインターラクティブに通信するように構成されたリモートデバイスであって、
前記イベント進行情報を含むイベント関連情報を送信する送信器と、
前記イベントの進行の変更を示す変更コマンドをユーザから受信する受信器と、
前記変更コマンドに応じて前記進行を調節するように構成された進行調整器とを有する、リモートデバイス。
【請求項１３】
前記リモートデバイスは、
家電製品、
グローバルポジショニングシステム（ＧＰＳ）を有するデバイス、及び
グローバルシステムフォーモバイルコミュニケーションズ（ＧＳＭ（登録商標））を有するデバイスより選択される、
請求項１２に記載のリモートデバイス。
【発明の詳細な説明】
【技術分野】
【０００１】
本発明は、リモートデバイスとインターラクティブに通信するように構成されたインターラクティブデバイスと、リモートデバイスとインターラクティブに通信する方法とに関する。本発明は、さらに、インターラクティブデバイスとインターラクティブに通信するように構成されたリモートデバイスに関する。
【背景技術】
【０００２】
ドメスティック環境では、イベントを連続的にモニタする必要があることが多い。例えば、イベントがオーブンまたはレンジで何かを調理することである場合、食材を調理する時間を測って、料理が終わったか評価する必要がある。焦げてしまうので、調理をしながら何か他のことをすることは難しく、他のことをしながら料理ができたかどうか確認し続けねばならないことは非常に手間である。料理をしながらテレビを見るなど、同時に複数のことをしたいことは多い。
【０００３】
さらに、料理の進行に合わせて調整が必要な場合（例えば、もう少し長く調理しなければならないような場合）、ソース（オーブン、電子レンジ、レンジなど）のところへ行き、継続的に確認して、しかるべく調節する必要がある。そのため、料理中にはほかのことはほとんどできない。
【０００４】
電子レンジ、トースター、オーブンなどの既存の家庭用デバイスの中には、タイマーが備えられているものがある。もっと高級なデバイスでは、タイマーが経過すると、そのデバイスは自動的に電源が切れ、ビープ音を発してユーザの注意を引くものもある。例えば、もっと高級なオーブンは、コンピュータ制御されている。これには多様な動作モードと特別な機能がある。これには、温度プローブを用いて、料理が望ましいところまで完全に調理できたら、オーブンの電源を自動的に切るものもある。
【０００５】
イベントは、家族や友人が来る（またはある目的地に行く）イベントであってもよく、その目的地に何時着くか、ホストは常に心配している。ホストは予定の来客に電話して、もう向かっているか、どこにいるか、あとどのくらい時間がかかるかなどを問い合わせることも多い。これにより、電話を多数回かけることとなり、作業が中断してしまう。そのため、安心させ見通しをはっきりさせることが必要である。
【０００６】
特許文献１は、ユニバーサルリモートコントロールを備える装置と方法を開示している。ユニバーサルリモートコントロールの一実施形態は、ディスプレイスクリーンとユーザ入力メカニズムとを有する。リモートコントロールは、制御する機器から現在上映中の映画の進行などの情報を受信し、その情報をディスプレイスクリーンに表示できる。
【０００７】
特許文献２は、電子デバイスの双方向リモートコントロールを開示している。携帯電話を用いて、短距離無線通信リンクにより複数の制御可能電子デバイスのひとつを遠隔制御できる。制御する機能に関する状態情報を、携帯電話に、無線通信リンクにより送信して、表示できる。
【０００８】
特許文献３は、家電の制御システムを開示している。このシステムは、電子制御ユニットと、家電の所定の基本機能を選択する制御パネルにある選択デバイスとを含む。情報は電子制御ユニット内で符号化され、家電は基本機能を、選択デバイスにより選択された機能として実行できる。
【０００９】
非特許文献１は、ハンドヘルドコンピュータに表示された機器インタフェースを用いるユーザは、機器に組み込まれた制御パネルを用いるのと比較して、同じ一組のタスクを半分の時間で実行し、エラーは半分になるため、パーソナルユニバーサルコントローラと呼べるような汎用機器制御システムを作るモチベーションを与えている研究を開示している。
【００１０】
非特許文献２は、コンピュータ、家電、オフィス機器の遠隔制御手段としてのハンドヘルドデバイスの利用を開示している。
【００１１】
特許文献４は、食材の調理や解凍の画像を表示する、カメラを有する調理機器または解凍機器を開示している。この機器は、それと任意的にインターラクトする表示手段とコマンド入力手段を含む通信モジュールにより通信ネットワークとインターラクションするように構成されている。
【先行技術文献】
【特許文献】
【００１２】
【特許文献１】米国特許出願公開第２００７／０１７６８２０  Ａ１号
【特許文献２】国際出願公開第２００６／０９７８６１  Ａ２号
【特許文献３】米国特許出願公開第２００１／００３９４６０  Ａ１号
【特許文献４】欧州特許出願公開第１０２８６０４  Ａ２号
【非特許文献】
【００１３】
【非特許文献１】J.  Nichols  and  B.A.  Myers著「Studying  the  use  of  handhelds  to  control  smart  appliances」,  Multimedia  signal  processing,  2002  IEEE  Workshop  on  9-11  December  2002,  Piscataway,  NJ,  USA,  IEEE  19  May  2003,  pp.  274-279,  ISBN:  978-0-7803-7713-4
【非特許文献２】B.A.  Myers,「Using  handhelds  for  wireless  remote  control  of  PCs  and  appliances」,  Interacting  with  computers,  Butterworth-Heinemann,  GB  LNKD-DOI:  10.1016/J.  Intcom.,  2004.06.010,  vol.  17,  no.  3,  1  May  2005,  pp.  251-264,  ISSN:  0953-5438
【発明の概要】
【発明が解決しようとする課題】
【００１４】
本発明の目的は、イベントの進行を示し、調節できるインターラクティブデバイスを提供することにより、上記の欠点を解消することである。
【課題を解決するための手段】
【００１５】
本発明の第１の態様によると、リモートデバイスとインターラクティブに通信するように構成されたインターラクティブデバイスは、イベント進行情報を含むイベント関連情報を提供するように構成されたリモートデバイスから、前記イベント関連情報を受信する受信器と、受信した進行情報に基づき前記イベントの進行を示す進行インジケータと、前記イベントの進行の変更を示す変更コマンドをユーザから受け取るセンサと、前記リモートデバイスに前記変更コマンドを送信する送信器と、を有し、前記リモートデバイスは、受信した変更コマンドに応じて、前記イベントの進行を調節するように構成されている。
【００１６】
よって、インターラクティブデバイスのユーザにユーザフレンドリな方法で、イベントの進行を示すことができる。さらに、使い方によっては、ユーザは変更コマンドにより直接的に、イベントの進行を調節することができる。
【００１７】
デバイスは、さらに、少なくとも部分的にデバイスの周囲を囲む発光リムストラクチャを有し、リムストラクチャの縦部分の発光により進行インジケータを示し、その長さがイベントの進行と比例するようにする。一実施形態において、センサはリムストラクチャに組み込まれた光センサまたはタッチセンサであり、リムストラクチャにタッチして、発光する縦部分の長さを、そしてそれによりイベントの進行を調節する。他の一実施形態では、ディスプレイの一部の発光により進行インジケータを示し、センサはディスプレイに組み込まれた光センサまたはタッチセンサであり、発光した部分の調節とそれによるイベントの進行の調節とを示す、ディスプレイへの前記ユーザからのタッチコマンドを検出するように構成されている。したがって、ディスプレイデバイスとして、また、イベントの進行をいかに変更するか示す変更コマンドを、ユーザから受信できる「リモートコントロール」として機能する、ディスプレイデバイスのような写真フレームを提供する。
【００１８】
一実施形態では、リモートデバイスは、変更コマンドに応じて進行を調節する組み込まれた進行調節器を有する家電製品であり、イベントは料理であり、イベント進行情報は、前記料理が完了するまでの時間、または料理されているアイテムの温度、または料理中の前記家電製品内の温度、またはこれらの組み合わせを含む。
【００１９】
このように、写真フレームなどのインターラクティブデバイスとインターラクティブに通信できる、非常に便利な家電製品を提供する。インターラクティブディスプレイデバイスのユーザはイベントの進行を直接的に調節できる。一例として、ユーザは料理中にキッチンを離れて、安心して他のアクティビティを行うことができる。他の部屋にインターラクティブデバイスを置いて、アンビエントディスプレイ（ambient  display）の周りの光の進行を用いて料理の進行を示すことができ、注意を向ける必要がないからである。
【００２０】
一実施形態では、リモートデバイスからのイベント関連情報は、さらに、イベントの画像データを含み、イベントの現状の表示は、受信したイベントの画像データの表示に基づく。このように、一例として、料理されているものの画像を撮るカメラを組み込み、画像データをそれを表示するインターラクティブディスプレイデバイスに送信するオーブンまたは電子レンジを提供してもよい。このように、ユーザは料理の状態を「ライブ（life）」で見ることができるので、常時キッチンにいる必要はない。よって、ユーザは料理中に他のことをする時間をとれる。また、温度が高すぎたり低すぎたりすると画像が示す場合、ユーザは、他の部屋から、例えばオーブンの温度を調節することができる。すなわち、リモートで、温度を上げたり下げたりできる。
【００２１】
一実施形態では、イベントの現状の表示は、事前に記憶したそのイベントの画像または画像シーケンスの表示を含む。受信するイベント関連情報により、事前に記憶したどの画像または画像シーケンスを表示するか決める。したがって、受信するイベント関連情報は時間であり、表示される状態はグリルドチキンを表示するものであってもよい。一例として、インターラクティブディスプレイデバイスは、グリルドチキンやローストビーフやハムなどの複数の画像を有し、各画像はタイミングデータと関連付けられる。一例として、料理前のチキンの画像を０−２０分のタイミングデータと関連づけ、画像データは白いチキンである。２１−４０分には少し茶色くなったチキン、４１−６０分にはもっと濃い茶色になったチキンとする。各画像に関連する付加データは、温度値であってもよい。表示される画像の色はもちろんオーブンの温度に依存し、温度が高ければ高いほど、料理時間が短くなるので、時間が短くなる。
【００２２】
一実施形態では、イベントはある人が到着するイベントであり、リモートデバイスはポジショニングシステムであり、受信するイベント関連情報はその人の現在位置を示すポジショニング情報を含み、イベントの進行はその人の到着までの残り時間である。このように、ホストが、予定している訪問者の到着時間を追跡し続けられる非常にユーザフレンドリな方法を提供する。
【００２３】
一実施形態では、イベント進行情報はその人の到着時刻を含み、リモートデバイスは組み込まれた進行調節器を有し、ユーザからの変更コマンドは更新された望ましい到着時刻を含み、組み込まれた進行調節器は受信した変更コマンドに応じて到着イベントを調節するようにその人に指示するように構成される。このように、一例として、ホストは予定している訪問者に急ぐように、またはゆっくり来るように要求することができる。
【００２４】
一実施形態では、受信したイベント関連情報に基づく、イベントの現状の画像の表示は、予定されている人の写真、またはその人の現在地を示す地理的データ、またはグラフィカルにその人の到着までの残り時間、またはこれらの組み合わせの表示を含む。
【００２５】
したがって、表示される画像は、予定している人の写真と、長さがイベントの進行に比例するように、すなわち残り時間（または経過時間）を表示するように、ディスプレイまたは例えばリムストラクチャの縦部分を発光させてフレームストラクチャに表示される時間インジケータであり得る。
【００２６】
一実施形態では、イベントはアクティビティモニタリングであり、リモートデバイスはユーザのアクティビティモニタであり、進行インジケータは目標設定を確定または調節するように構成される。これにより、例えば、リムストラクチャまたはディスプレイにタッチしてゴールを調節し、またはそうすることによりフィードバックを与え、ユーザのゴールに到達する進行を表示する。したがって、ユーザは、リムストラクチャの一点にタッチすることにより、アクティビティ量の目標を選択できる。一例として、リムの各側はあるアクティビティ量を示し、ユーザがリムにタッチすると、アクティビティ量の目標が設定される。このように、インターラクティブディスプレイデバイスは、例えば、外部サーバからアクティビティに関する更新情報を取得するように適用できる。一例として、アクティビティモニタは、ハンドヘルドデバイス（腕時計や携帯電話など）に組み込まれた加速度計やＧＰＳシステムである。
【００２７】
他の一形態によると、本発明は、リモートデバイスとインターラクティブに通信する方法に関する。
【００２８】
さらに他の一態様によると、本発明は、コンピュータで実行されると、上記の方法ステップを実行するように処理ユニットに命じるコンピュータプログラム製品に関する。
【００２９】
さらに他の一態様によると、本発明は、インターラクティブデバイスとインターラクティブに通信するように構成されたリモートデバイスに関する。
【００３０】
一実施形態では、このリモートデバイスは、家電製品、グローバルポジショニングシステム（ＧＰＳ）を有するデバイス、及びグローバルシステムフォーモバイルコミュニケーションズ（ＧＳＭ（登録商標））を有するデバイスより選択される。
【００３１】
本発明の上記態様は、他のどの態様と組み合わせることもできる。本発明の上記その他の態様を、以下に説明する実施形態を参照して明らかにし、説明する。
【図面の簡単な説明】
【００３２】
図面を参照して、本発明の実施形態を例示により説明する。
【図１】本発明によるインターラクティブデバイスの一実施形態を示す図である。
【図２】本発明によるリモートデバイスの一実施形態を示す図である。
【図３ａ】本発明によるインターラクティブデバイスの一実施形態を示す図である。
【図３ｂ】本発明によるインターラクティブデバイスの一実施形態を示す図である。
【図３ｃ】本発明によるインターラクティブデバイスの一実施形態を示す図である。
【図３ｄ】本発明によるインターラクティブデバイスの一実施形態を示す図である。
【図４ａ】本発明の他の実施形態を示す図である。
【図４ｂ】本発明の他の実施形態を示す図である。
【図５】本発明による、リモートデバイスとインターラクティブに通信する方法を示すフローチャートである。
【発明を実施するための形態】
【００３３】
図１は、本発明による、リモートデバイス１０７とインターラクティブに通信するように構成されたインターラクティブデバイス１００の一実施形態を示す。インターラクティブデバイス１００は、受信器（Ｒ）１０１、ディスプレイ（Ｄ）１０２、進行インジケータ（Ｐ＿Ｉ）１０３、センサ（Ｓ）１０４、及び送信器（Ｔ）１０５を有する。
【００３４】
受信器（Ｒ）１０１は、リモートデバイス１０７からイベント関連情報１０８を受信する。リモートデバイス１０７は前記イベント関連情報を提供する。イベント関連情報はイベント進行情報を含む。リモートデバイス１０７は、例えば、オーブンや電子レンジなどの家電製品である。リモートデバイスは、グローバルポジショニングシステム（ＧＰＳ）を有するデバイス、グローバルシステム・フォー・モバイルコミュニケーションズ（ＧＳＭ（登録商標））を有するデバイス、またはＧＰＳまたはＧＳＭ（登録商標）を有するモバイルデバイスである。
【００３５】
ここに示したように、リモートデバイス１０７がオーブンであるとき、イベントは料理であり、イベント進行情報は、料理が完了するまでの時間、または料理しているものの温度、または料理中の家電製品内の温度、またはこれらの組み合わせである。
【００３６】
リモートデバイスがポジショニングシステムを有するデバイスである場合、イベントは、ある人が到着するイベントであり得る。受信するイベント関連情報は、その人の現在位置を含む位置情報を含み、イベントの進行はその人の到着までの残り時間である。これらの２つの実施形態は後でもっと詳しく説明する。
【００３７】
ディスプレイ（Ｄ）１０２は、受信したイベント関連情報に基づき、イベントの現状の画像を表示する。一実施形態では、リモートデバイス１０７からのイベント関連情報は、イベントの画像データを含む。イベントの現状の表示は、受信したイベントの画像データの表示に基づく。したがって、オーブン１０７は、１分ごとに画像を撮り、その画像をインターラクティブディスプレイデバイス１００の受信器（Ｒ）１０１に送信する。インターラクティブディスプレイデバイス１００は受信した画像データを表示する。
【００３８】
他の実施形態では、表示される現状は事前に格納されたイベントの画像または画像シーケンスである。受信するイベント関連情報により、事前に格納された画像または画像シーケンスのどれを表示するかトリガーされる。すなわち、受信するタイミング情報によりどんな画像を表示するか決まる。例えば、イベントかピザ焼きであれば、複数のピザの画像が事前に格納され、各画像はタイミング情報と関連付けられている。例えば、０−５分はまだ焼いていないピザの画像であり、６−１０分はチーズが溶けているがパイ皮はまだ白いピザの画像に関連付けられ、１１−１５分はチーズが黄色くなりパイ皮が薄茶色になる。このように、受信したタイミング情報により、ピザのどの画像を表示するか制御する。事前に格納した画像に、温度などの別の情報を関連づけてもよい。焼き時間はオーブンの温度によっても決まるからである。事前に格納する画像シーケンスは、ピザを焼くプロセスのビデオであって、オーブンの温度によりビデオのスピードを調節するものでもよい。すなわち、温度が１５０℃のとき、ビデオを２０分で表示し、２００℃のとき、ビデオを１５分で表示する。もちろん、これは相互に関連させて、温度とビデオの時間とが完全にマッチする、すなわちビデオ中のピザの「状態」が、オーブン１０７中のピザの実際の状態とマッチするようにする。
【００３９】
ある人の到着のイベントの場合、ディスプレイ（Ｄ）１０２は、来る人の写真を表示してもよいし、その人の現在位置を示す地理データを表示してもよいし、その人の到着までの残り時間をグラフィカルに表示してもよい。
【００４０】
進行インジケータ（Ｐ＿Ｉ）１０３は、受信した進行情報に基づき、イベントの進行状況を示す。進行インジケータ（Ｐ＿Ｉ）１０３は、ディスプレイの一部を、例えばディスプレイ上のストライプやコラムを光らせることにより示されている。
【００４１】
一実施形態では、インターラクティブディスプレイデバイスは、さらに、ディスプレイ（Ｄ）１０２の周囲の少なくとも一部を取り囲み、発光するリムストラクチャ（Ｌ＿Ｓ）１０６を有する。本実施形態では、進行インジケータ（Ｐ＿Ｉ）１０３は、リムストラクチャの縦部分を、その長さがイベントの進行と比例するように発光させることにより示されている。例えば、リムストラクチャ（Ｒ＿Ｓ）１０６の発光部分が長ければ長いほど、イベントが完了するまでの残り時間（例えば、残りの調理時間）が長い。
【００４２】
センサ（Ｓ）１０４は、イベントの進行の変更を示す、ユーザからの変更コマンドを受け取る。一実施形態では、このセンサは、ディスプレイまたはリムストラクチャ（Ｒ＿Ｓ）１０６に組み込まれた光センサまたはタッチセンサであり、光る部分すなわちイベントの進捗の調整を示す、ディスプレイへのユーザからのタッチコマンドを検出する。あるいは、リムストラクチャ（Ｒ＿Ｓ）１０６には容量センサチップ（例えば、リビングカラー（商標）コントローラの中やラップトップ／ノートパッドのタッチパッドに備えられたＱｔｏｕｃｈ（商標））が供えられている。ユーザは、これにより、リムのどこかにタッチして、光の進み方を調節し、それによりイベントの進捗を調節できる。したがって、ユーザは、ディスプレイ／リムストラクチャにタッチして、調理時間を変更でき、それにより、光る時間インジケータを延ばしたり短くしたりして、イベントの進捗を調節できる。ある人が到着するイベントの場合、イベントの進捗を調節することにより、すなわち、予定到着時刻までの時間を調節することにより、来る人の予定到着時刻に影響を与えることができる。一例として、「早く来てください」や「遅く来てください」との変更を示すし、さらに変更量を指定するＳＭＳをモバイルユーザ（来る人）に送信できる。
【００４３】
留意点として、いろいろなセンサを用いることができる。例えば、ユーザが音声コマンドによりイベントの残り時間を長くしたり短くしたりできる音声コマンドセンサや、そのようなコマンドを身振りで与えられるジェスチャセンサなどを用いることができる。
【００４４】
送信器（Ｔ）１０５は、リモートデバイス１０７に変更コマンドを送信する。リモートデバイス１０７は、受信した変更コマンドにより、イベントの進行を調節する。
【００４５】
図２は、本発明によるリモートデバイス１０７の一実施形態を示す。このリモートデバイスは、送信器（Ｔ）２０１と受信器（Ｒ）２０２とプログラム調節器（Ｐ＿Ａ）２０３とを有する。
【００４６】
送信器（Ｔ）２０１は、前記インターラクティブディスプレイデバイス１００に、前記イベント進行情報を含むイベント関連情報１０８を送信する。受信器（Ｒ）２０２は、イベントの進行の変更を示す、ユーザからの変更コマンド１０９を受信する。プログラム調節器（Ｐ＿Ａ）２０３は、変更コマンドに応じて進行を調節する。一例として、変更コマンドは、焼き時間を減らすことを示す新しいタイミング情報であっても、温度を１５０℃から２００℃に上げることを示す新しい温度情報であってもよい。より一般的に、変更コマンドは、リモートデバイス１０７の設定を調節するいろいろな設定コマンド、例えば、電子レンジの出力を上げるコマンドや、オーブン１０７の設定を「ブロー」設定から「アッパーヒート」設定にするコマンドなどを含んでいてもよい。
【００４７】
リモートデバイスは、一例として、どんな種類の家電であってもよく、携帯電話やパーソナルデジタルアシスタント（ＰＤＡ）などの、ＧＰＳを有するデバイスであってもよい。リモートデバイスは、ＧＰＳシステムを有する自動車であってもよい。
【００４８】
進行調整器（Ｐ＿Ａ）２０３は、受信した変更コマンドを利用して、例えばオーブン１０７のタイマーを調節したり、オーブン１０７（または電子レンジ）の温度を調節したりして、進行を調整する、プロセッサなどの手段である。
【００４９】
リモートデバイス１０７がＧＰＳを有する携帯電話、及び／またはＰＤＡシステムである場合、変更コマンドは、自動車の速度を下げる、または上げて、調節されたイベントの進行状況、すなわち新しい到着時刻に合わせることを示すコマンドを含んでもよい。好ましくは、この変更コマンドに従うかはユーザしだいである。
【００５０】
図３は、本発明によるインターラクティブディスプレイデバイス１００の一実施形態を示す。ここで、ディスプレイデバイスは発光写真フレーム１００であり、進行中のイベント／アイテムの状況を提供する。図示したように、このイベントは料理である。写真フレーム１００のディスプレイ１０２は、発光写真フレームの中央部分であり、その周囲は発光リムストラクチャ（Ｌ＿Ｓ）１０６により囲まれている。ディスプレイ１０２は、電子レンジまたはオーブンで調理されるアイテム３０２の直接的なビデオリンクまたは温度を示す。これにより、ユーザは、アイテムの仕上がり具合を評価し、適当な変更コマンドにより調理時間を適宜調節できる。図示したように、写真フレーム１００の発光進行インジケータ３０１は、オーブンにおけるピザ３０２の調理の進行を示す。
【００５１】
図３ｂは、ユーザ３０３がリム（rim）のどこかにタッチして時間を調節するところを示している。図示したように、ユーザ３０３は、リム（rim）にタッチして時間を短くしている（すなわち、発光進行インジケータを進めている）。クッキングアイテムを入れて「クッキングソース」、すなわちコンロ、オーブン、電子レンジのスイッチを入れるとすぐに、ローカル（無線）ネットワークなどを介して写真フレーム１００にデータが得られる。
【００５２】
一実施形態では、複数の料理イベントが行われているとき、写真フレーム１００は、マルチトラックの発光進行インジケータを有し、常に、またはユーザ３０３の要求により、写真フレーム１００を各イベントに切り替えられるようになっている。あるいは、図３ｃに示したように、各イベントは別の色３０４−３０６を有し、並列の光トラックとして表示され、別々に調節できるようになっている。
【００５３】
図３ｄは、ユーザ３０３が、リム１０６のどこかにタッチして、その時点におけるイベント、すなわちピザの調理の状態がどうなっているか見ることができる一実施形態を示している。ユーザが指を離すと、進行を示す光は現在の状態に戻る。したがって、こうしてリムにタッチすることにより、リムのセンサがタッチコマンドを利用して、タイミング情報を一時的に短く、または長くして、このタイミング情報に関連する画像を表示する。一例として、実際のタイミング情報が残り２０分であることを示し、ユーザ３０３がこのタイミング情報を４０分に調節したとき、写真フレーム１００は、４０分後にピザがどうなるか表示する。これは、履歴データを用いたピザ画像の表示に基づくものでよく、４０分のタイミング情報に関連するピザ画像を表示する。図示したように、このときピザは焦げている。このように、リムの一点にタッチすることにより、画面にはそれがどうなっているか表示され、ユーザが指を離すとすぐに、光は現在状態に戻る。
【００５４】
写真フレーム１００は、さらに、写真フレームの画面に追加される、開始ボタンや停止ボタンなどの、料理イベントを制御する他の制御キーを含んでもよい。
【００５５】
図４ａと図４ｂは、本発明の他の一実施形態を示し、インターラクティブディスプレイデバイスが発光写真フレーム１００であり、イベントがある人の到着であり、表示される画像がその到着する人４０１である。
【００５６】
進行光インジケータ３０１は、ある人がある目的地に到着するのにかかる時間を示す。その人と所望の目的地との間の距離は、ＧＰＳ技術を用いて正確に測定でき、または追跡される人が持っている携帯電話のＧＳＭ（登録商標）セルルート（GSM（登録商標）  cells  route）を用いておおよそ測定できる（例えば、ＧｏｏｇｌｅのＭｙＬｏｃａｔｉｏｎ）。
【００５７】
例えば、人Ａは会社を離れ、自宅でパートナーＢとともに夕食を食べる。ここで、Ｂが発光写真フレーム１００を持っている。人Ａは、写真フレーム１００にメッセージを送信して、自分のモバイルデバイスのトラキングモードをイネーブルにする。メッセージにはポジショニング情報が含まれている。写真フレーム１００は、このメッセージを利用して、リム３０１の一部を発光させる。発光する部分の長さは、人Ａが到着するイベントの進行を示している。このメッセージは、人Ｂを識別する識別（ＩＤ）データを含み、例えば、履歴データを用いて、ＩＤデータを到着する人の画像にリンクしてもよい。このように、インターラクティブディスプレイデバイス（写真フレーム１００）は、例えば友達や親類の写真を事前に記憶している。各写真はＩＤデータと関連付けられている。このように、写真フレーム１００には、どの写真を表示するか分かる。
【００５８】
図４ａに示したように、ディスプレイ１０２は、予定している人の写真を表示する。したがって、人Ｂには誰が何時到着するか、はっきりと予定することができる。
【００５９】
一実施形態では、より多くの人が来る予定であり（例えば、パーティイベント）、各自の携帯電話でインターラクティブディスプレイデバイス１００に接続してくると、写真フレーム１００は、複数の写真を切り替えて、例えばユーザが設定した順序で、例えば最も早く到着する人から最も遅く到着する人まで、適宜進捗を表示する。あるいは、図４ｂに示したように、各人に専用の色を割り当て、色のついたトラックを並列に表示する。さらに、使用する色は、誰かが予定通り来ること、予定していなかった誰かが来ること、時間通りに来ること、早めに来ること、遅く来ることなどを表すものであってもよい。
【００６０】
他のシナリオでは、イベントはゴール設定であり、進行インジケータをゴール設定に用いることができる。このように、リムストラクチャにタッチしてゴールを調節し、光でフィードバックをし、ユーザのゴールに近づく進行を表示する。他の一アプリケーションはアクティビティモニタリング（activity  monitoring）である。ユーザが持ち歩くアクティビティモニタを用いて、日中、（例えば、加速度計に基づき）ユーザのアクティビティをモニタする。したがって、ユーザは、リムの一点にタッチすることにより、アクティビティ量の目標を選択できる。一例として、リムの各側はあるアクティビティ量を示し、ユーザがリムにタッチすると、アクティビティ量の目標が設定される。
【００６１】
図５は、本発明による、リモートデバイスとインターラクティブに通信する方法を示すフローチャートである。
【００６２】
ステップ（Ｓ１）５０１において、リモートデバイスからイベント関連情報を受信する。リモートデバイスは、イベント進行情報を含むイベント関連情報を提供するように構成されている。ステップ（Ｓ２）５０２において、受信したイベント関連情報に基づき、イベントの現状の画像を表示する。一例として、イベントは料理イベント（例えば、ピザ焼き）であり、一例として、イベント関連情報は、料理が完了するまでの残り時間、オーブンや電子レンジの温度、及びオーブンや電子レンジの様々な設定、及びそのイベントの画像データを含む。イベントの現在の状態の表示は、受信したそのイベントのタイミング／画像データの表示であってもよい。イベントは人の到着イベントであってもよく、イベント関連情報はその人の現在位置を示すポジショニング情報であってもよい。
【００６３】
ステップ（Ｓ３）５０３において、受信した進行情報に基づき、イベントの進行を示す。ステップ（Ｓ４）５０４において、ユーザから、イベントの進行の変更を示す変更コマンドを受け取る。イベント進行情報は、食材の調理が完了するまでの経過時間または残り時間、または調理されるものの温度、または料理中の家電内の温度、またはこれらの組み合わせを含む。一例として、経過時間または残り時間がユーザにはっきり見えるように、ディスプレイ（図３参照）の縦部分すなわちリムを発光させることにより、イベントの進行を示す。変更コマンドにより、このイベント進行情報を調節できる。
【００６４】
ステップ（Ｓ５）５０５において、リモートデバイスに変更コマンドを送信する。リモートデバイスは、受信した変更コマンドに応じて、イベントの進行を調節するように構成されている。上記の実施例を参照して、オーブンは、受信した変更コマンドに応じて、オーブンの時間、及び／または温度、及び／またはその設定を調節できる。
【００６５】
本発明をはっきりとくまなく理解してもらえるように、限定ではなく説明を目的として、開示した実施形態の具体的な詳細を説明した。しかし、当業者には言うまでもなく、ここに説明した詳細に正確に従わない他の実施形態において、本発明を実施することができる。さらに、このコンテキストにおいて、簡明にするため、不必要に詳しくして混乱することを防ぐように、周知の装置、回路、方法の詳細な記載は省略した。
【００６６】
請求項には参照符号が含まれているが、参照符号を含めたのは単に明確にすることを目的としたものであり、請求項の範囲を限定するものと解すべきではない。
【図１】
0005608734.tif 000002
【図２】
0005608734.tif 000003
【図３ａ】
0005608734.tif 000004
【図３ｂ】
0005608734.tif 000005
【図３ｃ】
0005608734.tif 000006
【図３ｄ】
0005608734.tif 000007
【図４ａ】
0005608734.tif 000008
【図４ｂ】
0005608734.tif 000009
【図５】
0005608734.tif 000010